(57)【特許請求の範囲】
【請求項１】
通信モ−ドキ−を認識してＴＶを付加価値通信網にラインで連結してそれから通信情報を受信してデコ−ディングする情報処理ユニットと、現在の時間情報を前記情報処理ユニットに伝送するＴＶマイコンとを含み通信サ−ビスを受ける情報ＴＶの時間変更ディスプレイ方法において、
電源が印加されたときに、時間情報をチェックして停電があったか否かを判断する停電判断段階と、
停電があったと判断された場合には、時間設定メニュ−画面をディスプレイする時間設定メニュー画面ディスプレイ段階と、
所定時間、キー入力がない場合、及び、時間設定入力キー以外のキー入力があった場合には、前記時間設定メニュー画面のディスプレイを取り消す時間設定メニュー画面取消段階と、
前記時間設定入力キーにより現在の時間が再設定される現在時間再設定段階と、
再設定された現在の時間情報を前記情報処理ユニットに伝送する伝送段階とを含むことを特徴とする情報ＴＶの時間変更ディスプレイ方法。
【請求項２】
前記停電判断段階は、電源が印加されたときに、時間情報をチェックして時間情報がチェックされた場合には現在の時間に変更はないと判断し、時間情報がチェックされないと、停電による時間情報の損失であると判断することを特徴とする請求項１記載の情報ＴＶの時間変更ディスプレイ方法。
【請求項３】
前記現在時刻再設定段階では前記情報処理ユニットに伝送された現在の時間情報をディスプレイする再ディスプレイ段階をさらに含むことを特徴とする請求項１に記載の情報ＴＶの時間変更ディスプレイ方法。
【請求項４】
前記再ディスプレイ段階では、時間情報ディスプレイの要求キーの入力に応じて現在の時間情報をディスプレイすることを特徴とする請求項３に記載の情報ＴＶの時間変更ディスプレイ方法。
【発明の詳細な説明】
【０００１】
【発明の属する技術分野】
本発明は情報ＴＶの時間変更ディスプレイ方法に係り、特に通信サ−ビスを受けることができる情報ＴＶにおいて停電等により現在の時間が変更された場合、時間設定メニュ−画面をディスプレイさせて現在の時間を再設定する方法に関する。
【０００２】
【従来の技術】
情報ＴＶは付加価値通信網にＴＶを連結させることにより通信サ−ビスを受けることができる。この情報ＴＶは、情報ＴＶが付加価値通信網に連結されると、情報通信デ−タ（以下、情報デ−タという）を受信し、これを画面にディスプレイするための情報Ｒ，Ｇ，Ｂ信号とスイッチング制御信号を出力する情報処理ユニットとを含む。この情報ＴＶは情報処理ユニットで処理された情報Ｒ，Ｇ，Ｂ信号とＴＶ信号処理部で処理されたＴＶ  Ｒ，Ｇ，Ｂ信号とを情報処理ユニットから出力されるスイッチング制御信号に応じて選択して画面にディスプレイする。
【０００３】
かかる情報ＴＶは付加価値通信網を通して伝送される各種の通信サ−ビス、例えば証券、ニュ−ス、天気、ＴＶ情報などをＴＶ画面にディスプレイさせ得るので、コンピュ−タ−の素人も容易に通信サ−ビスを受けられる利点がある。
情報ＴＶはＴＶマイコンからの時間情報を連続的に受けてその時間情報を更新させ、使用者の現在時間ディスプレイ要求によるキ−が押されると、画面に現在の時間をディスプレイする。情報ＴＶの現在時間ディスプレイは通信サ−ビスを受けるにおいて重要な因子となるため、常に正確な現在の時間がディスプレイされなければならない。
【０００４】
しかしながら、停電等による時間デ−タの損失が発生すると、停電復帰時は現在の時間を正しくディスプレイすることができない。そして、停電復帰時に使用者がＴＶマイコンに貯蔵された現在の時間をディスプレイさせなければ、現在の時間はディスプレイされず、現在の時間が正しいかも分からなくなる。
【０００５】
【発明が解決しようとする課題】
前記の問題点を克服するために本発明の目的は、情報ＴＶの停電復帰時に時間設定メニュ−画面をディスプレイさせて使用者として正確に時間設定せしめる時間変更ディスプレイ方法を提供することにある。
本発明の他の目的は、情報ＴＶの停電復帰時に時間変更を表すメッセ−ジをディスプレイして使用者として選択的に現在の時間を再設定せしめる時間変更ディスプレイ方法を提供することにある。
【０００６】
【課題を解決するための手段】
前記目的を達成するために本発明の時間変更方法は、通信モ−ドキ−を認識してＴＶを付加価値通信網にラインで連結してそれから通信情報を受信してデコ−ディングする情報処理ユニットと、現在の時間情報を前記情報処理ユニットに伝送するＴＶマイコンとを含み通信サ−ビスを受ける情報ＴＶの時間変更ディスプレイ方法において、電源が印加されたときに、時間情報をチェックして停電があったか否かを判断する停電判断段階と、停電があったと判断された場合には、時間設定メニュ−画面をディスプレイする時間設定メニュー画面ディスプレイ段階と、所定時間、キー入力がない場合、及び、時間設定入力キー以外のキー入力があった場合には、前記時間設定メニュー画面のディスプレイを取り消す時間設定メニュー画面取消段階と、前記時間設定入力キーにより現在の時間が再設定される現在時間再設定段階と、再設定された現在の時間情報を前記情報処理ユニットに伝送する伝送段階とを含むことを特徴とする。
【０００８】
【発明の実施の形態】
以下、添付した図面に基づき本発明の実施の形態を詳しく説明する。
図１は本発明の方法を行うための情報ＴＶの概略ブロック図である。図１の情報ＴＶは、ＴＶ信号処理部１００と、ＴＶマイコン１１０と、情報処理ユニット２００と、スイッチング素子１２０と、陰極線管１３０（ＣＲＴ）とを含む。
【０００９】
図１において、ＴＶ信号処理部１００は、チュ−ナ−（図示せず）を通して選ばれた放送信号を処理してＴＶ  Ｒ，Ｇ，Ｂ信号（ＴＶ  ＲＧＢ）と水平／垂直同期信号（Ｈ／Ｖ）とを出力する。
情報処理ユニット２００は、通信モ−ドキ−の入力を認識して情報ＴＶを付加価値通信網（ＶＡＮ）にラインで連結して通信情報を受信し、これをデコ−ディングしてＴＶ信号処理部１００から出力される水平／垂直同期信号Ｈ／Ｖに同期されるように情報Ｒ，Ｇ，Ｂ信号（Ｉ  ＲＧＢ）に出力し、スイッチング制御信号ＳＷを発生する。
【００１０】
スイッチング素子１２０は、ＴＶ信号処理部１００で処理されたＴＶ  Ｒ，Ｇ，Ｂ信号（ＴＶ  ＲＧＢ）と情報処理ユニット２００で処理された情報Ｒ，Ｇ，Ｂ信号（Ｉ  ＲＧＢ）を情報処理ユニット２００で発生されるスイッチング制御信号ＳＷに応じて選択してＣＲＴ１３０にディスプレイする。
ＴＶマイコン１１０は、ＴＶモ−ドに対するキ−入力を認識してＴＶ信号処理部１００を制御し、情報処理ユニット２００と直列形態にデ−タを送信及び受信する。
【００１１】
上述した構成を有する情報ＴＶは、通信モ−ドでは情報信号を、ＴＶモ−ドではＴＶ放送信号を画面にディスプレイし得る。このように、通信情報サ−ビスを受けることができる情報ＴＶにおけるＴＶマイコン１１０は、情報処理ユニット２００の要求により現在の時間情報（例えば、年、月、日、時、分、秒）を情報処理ユニット２００に伝送する。かつ、ＴＶマイコン１１０は一定の時間ごとに（約１００ｍｓ）現在の時間情報を情報処理ユニット２００に伝送して現在の時間情報を周期的に更新して正確な現在時間のディスプレイを可能にする。
【００１２】
ここで、ＴＶマイコン１１０から情報処理ユニット２００に伝送する時間情報や情報処理ユニット２００からＴＶマイコン１１０に伝送する現在時間要求情報は直列デ−タの形態に伝送される。
情報処理ユニット２００はキ−デ−タの入力をデコ−ディングして現在時間ディスプレイ要求のある場合、ＴＶマイコン１１０に現在の時間を要求し、ＴＶマイコン１１０に伝送された現在時間をＣＲＴ１３０にディスプレイする。そして、情報処理ユニット２００は周期的にＴＶマイコン１１０から印加される現在の時間情報を受けて現在の時間を更新させる。
【００１３】
前記動作は正常的に電源が印加し続けられる場合に限る。停電の場合にはＴＶマイコン１１０に時間情報の損失が生ずるため、時間を再設定しなければ、正確な現在の時間をディスプレイすることが不可能になる。
したがって、本発明においては、停電等により時間情報が変更された後、電源印加時に現在の時間設定メニュ−をディスプレイさせて現在の時間を再設定したり、電源印加時に時間情報の変更を知らせるメッセ−ジを一定の時間だけディスプレイして使用者にして必要により選択的に現在の時間を再設定せしめる。
【００１４】
一方、図２に示された情報処理ユニット２００は、ＣＰＵ２０１と、プログラムＲＯＭ２０２と、メインコントロ−ラ２０３と、ＲＡＭ／ＤＡＣ２０４と、揮発性メモリ２０５と、ストレ−ジメモリ２０６と、モデム２０７とから構成されている。
図２において、ＣＰＵ２０１は全体システムに対する制御、デ−タ伝送及びデ−タ演算などをプログラムＲＯＭ２０２に貯蔵されたプログラムとメインコトンロ−ラ２０３から発生する制御信号とにより行う。
【００１５】
ＣＰＵ２０１におけるデ−タの処理と周辺の機能ユニットに対する制御とは割込み信号に基づいて行われるが、この割込み信号はモデム２０７とメインコントロ−ラ２０３の内部の各種のタスクとにより発生する。ここで、メインコントロ−ラ２０３から発生するタスクの種類としては、送信機（図示せず）に装着されたキ−入力による赤外デ−タが入力される場合、垂直ブランキングの場合、内部タイマ−が所定の機能のために動作する場合またはＴＶマイコン１１０から直列デ−タが受信される場合などがある。ＣＰＵ２０１はこのような割込み信号が発生される度に該当タスクを処理する。
【００１６】
プログラムＲＯＭ２０２はシステムの運営に必要なプログラムとフォトデ−タ、各種のデコ−ディングプログラム及びデコ−ディングデ−タ等を貯蔵しており、ＣＰＵ２０１はプログラムＲＯＭ２０２からデ−タを読み出して一連の動作を行う。
情報処理ユニット２００は次のような通信モ−ドで動作する。例えば、通信モ−ドキ−が入力されると、メインコントロ−ラ２０３はこれを認識してＣＰＵ２０１に割込み信号を伝送し、ＣＰＵ２０１はプログラムＲＯＭ２０２のプログラムにより通信モ−ドを行う。
【００１７】
メインコントロ−ラ２０３はキ−入力による電話番号に対するデ−タを認識してＣＰＵ２０１に伝送し、ＣＰＵ２０１はモデム２０７に電話番号を送出すると、モデム２０７は電話をかけて情報処理ユニット２００を付加価値通信網に電話ラインで連結させる。ここで、電話ラインはケ−ブル供給業体に連結されるケ−ブルラインに取り替えられる。
【００１８】
ラインが連結されれば、再び通信命令を入力させると、この通信命令によるデ−タはモデム２０７を通してホストコンピュ−タ−に伝えられ、ホストコンピュ−タ−は通信命令による情報デ−タを伝送する。
モデム２０７を通して伝送される情報デ−タを復調してメインコントロ−ラ２０３に印加し、メインコントロ−ラ２０３はこれを揮発性メモリ２０５の所定の領域に貯蔵する。
【００１９】
この際、情報デ−タをＴＶ信号にス−パ−インポ−ズする場合、情報デ−タはＴＶ信号処理部１００から出力される水平／垂直同期信号Ｈ／Ｖに同期されて、揮発性メモリ２０５から読み出されてＲＡＭ／ＤＡＣ２０４に印加させる。ＲＡＭ／ＤＡＣ２０４ではこれをアナログ信号Ｒ，Ｇ，Ｂに変換させて図１に示されたスイッチング素子１２０の第２選択端子ｂに出力する。
【００２０】
そして、情報デ−タを全体画面にディスプレイする場合、情報デ−タはメインコントロ−ラ２０３の内部の同期信号発生器から発生する水平／垂直同期信号Ｈ／Ｖに同期されて、メインコントロ−ラ２０３の制御下にＲＡＭ／ＤＡＣ２０４を通して図１に示されたスイッチング素子１２０の第２選択端子ｂに出力される。メインコントロ−ラ２０３は使用者の入力するモ−ド選択キ−を認識して通信モ−ドとＴＶモ−ドに応じてスイッチング制御信号ＳＷを図１に示されたスイッチング素子１２０に出力する。
【００２１】
一方、メインコントロ−ラ２０３は現在の時間ディスプレイ要求キ−の入力のある場合には、ＴＶマイコン１１０に現在の時間を要求する制御信号を送信し、ＴＶマイコン１１０から一定の時間の周期に現在時間情報を直列デ−タの形態に受信する。この際、メインコントロ−ラ２０３は、ＴＶマイコン１１０から受信される現在時間情報の有無に応じて停電による時間変更を使用者に表す時間変更メッセ−ジのディスプレイと、時間再設定のための時間設定メニュ−のディスプレイとを制御する。
【００２２】
図３は、停電復帰時の時間設定メニュ−を強制的にディスプレイさせて現在の時間を再生設定し得る、本発明による情報ＴＶの時間変更ディスプレイ方法の一実施例によるフロ−チャ−トである。
図３において、電源が印加されれば（Ｓ１０１）、ＴＶマイコン１１０では時間情報をチェックする（Ｓ１０２）。時間情報をチェックした後、停電か否かを判断する（Ｓ１０３）。時間情報をチェックすることにより停電か否かを判断し得る。すなわち、電源印加時に時間情報がチェックされると、現在の時間が変更されないことをいい、時間情報がチェックされなければ、停電による時間情報の損失を意味する。
【００２３】
停電でない場合には現在の時間が変更されないので、ル−チンを終了する。一方、停電の場合にはＴＶマイコン１１０は現在の時間が正しくないということを情報処理ユニット２００に直列デ−タの形態で知らせる（Ｓ１０４）。
情報処理ユニット２００は、時間が正しくないという情報を認識すると、時間設定メニュ−画面を画面にディスプレイさせる（Ｓ１０５）。すなわち、停電により設定された時間情報が変更された場合に電源を印加させると強制的に現在の時間設定メニュ−をディスプレイさせて使用者として現在時間の変更を認識せしめて現在の時間を再設定せしめる。
【００２４】
送信機に装着されたキ−を用いて現在の時間設定が完了すると（Ｓ１０６）、ＴＶマイコン１１０は情報処理ユニット２００に時間設定の完了を知らせる（Ｓ１０７）。この際、現在時間の再設定が完了すると、情報処理ユニット２００は現在の時間設定メニュ−を消す。
時間情報伝送の要求がある場合（Ｓ１０８）、変更された時間情報デ−タを情報処理ユニット２００に伝送した後（Ｓ１０９）、ル−チンは終了する。
【００２５】
ここで、再設定された現在の時間情報をＴＶマイコン１１０から受信すると、伝送要求に問わず情報処理ユニット２００は使用者に再設定された現在の時間情報を知らせるようにディスプレイした後、ル−チンを終了することもある。すなわち、ＴＶマイコン１１０に対する時間情報伝送は使用者のキ−入力により、または、Ｓ１０７で時間調整完了の情報が情報処理ユニット２００で受信されたときにプログラムにより求められる。
【００２６】
図４は本発明による時間変更ディスプレイ方法の他の実施例によるフロ−チャ−トであって、停電復帰時に現在時間変更メッセ−ジを一定の時間だけディスプレイさせて使用者として選択的に現在の時間を再設定せしめる。
図４において、電源が印加されると（Ｓ２０１）、ＴＶマイコン１１０では時間情報をチェックする（Ｓ２０２）。時間情報をチェックした後、停電か否かを判断する（Ｓ２０３）。
【００２７】
停電でない場合には現在の時間が変更されないので、ル−チンを終了する。一方、停電の場合にはＴＶマイコン１１０は現在の時間が正しくないということを情報処理ユニット２００に直列デ−タの形態で知らせる（Ｓ２０４）。
情報処理ユニット２００は時間が正しくないということを認識すると、現在の時間が変更されたというメッセ−ジを画面にディスプレイする（Ｓ２０５）。すなわち、停電により設定された時間情報が変更された場合に電源を印加させると、強制的に現在の時間が変更されたというメッセ−ジをディスプレイして使用者として現在時間の変更を認識せしめる。
【００２８】
現在時間変更のメッセ−ジをディスプレイした後、一定の時間が経過したかを確かめて（Ｓ２０６）、一定の時間の経過前に送信機に装着されたキ−の入力があるかを確かめる（Ｓ２０７）。一定の時間が経過するまでキ−の入力がなければ現在の時間が変更されたという変更メッセ−ジを取り消した後（Ｓ２０８）、ル−チンを終了する。
【００２９】
しかしながら、一定の時間の経過前にキ−の入力があれば、入力されたキ−の種類が時間設定キ−かを確かめる（Ｓ２０９）。キ−の入力が時間設定キ−の入力でない場合は、現在の時間変更メッセ−ジをオフさせた後（Ｓ２１０）、ル−チンを終了する。しかしながら、前記入力キ−が現在の時間設定入力キ−である場合は、時間設定メニュ−をディスプレイさせて現在の時間を再設定する（Ｓ２１１）。
【００３０】
そして、現在時間の設定済みかを判断する（Ｓ２１２）。現在時間の設定が済むと、ＴＶマイコン１１０は情報処理ユニット２００に時間設定の完了を知らせ、現在時間の設定メニュ−を取り消す（Ｓ２１３）。
このように現在時間の再設定が済むと、情報処理ユニット２００からの時間情報伝送の要求があるかを確かめて（Ｓ２１４段階）、時間情報伝送の要求がある場合には変更された時間情報デ−タを情報処理ユニット２００に伝送した後（Ｓ２１５）、ル−チンを終了する。
【００３１】
ここで、再設定された現在の時間情報をＴＶマイコン１１０から受信すると、伝送要求に問わず情報処理ユニット２００は使用者に再設定された現在の時間情報を知らせるようにディスプレイした後、ル−チンを終了することもできる。すなわち、ＴＶマイコンに対する時間情報伝送の要求は使用者のキ−入力により、または、Ｓ２１３で時間調整の完了を知らせる情報が情報処理ユニット２００で受信されたときにプログラムにより求められる。
【００３２】
【発明の効果】
上述したように、本発明は情報ＴＶにおいて停電等により現在の時間情報が変更された場合、電源印加時に現在の時間設定メニュ−をディスプレイさせて現在時間を再設定して、情報ＴＶの使用時に正確な現在の時間情報が設定された状態で通信サ−ビスを受けることができる。
【００３３】
かつ、本発明は情報ＴＶにおいて停電等により現在の時間情報が変更された場合、電源印加時に現在の時間が変更されたという変更メッセ−ジをディスプレイさせて使用者の必要により現在の時間を再設定することができる。
【図面の簡単な説明】
【図１】本発明の方法を行うための情報ＴＶの概略ブロック図である。
【図２】図１に示された情報処理ユニットの詳細ブロック図である。
【図３】本発明による時間変更ディスプレイ方法の一実施例によるフロ−チャ−トである。
【図４】本発明による時間変更ディスプレイ方法の他の実施例によるフロ−チャ−トである。
【符号の説明】
１００  ＴＶ信号処理部
１１０  ＴＶマイコン
１２０  スイッチング素子
１３０  陰極線管（ＣＲＴ）
２００  情報処理ユニット
２０１  ＣＰＵ
２０２  プログラムＲＯＭ
２０３  メインコントローラ
２０４  ＲＡＭ／ＤＡＣ
２０５  揮発性メモリ
２０６  ストレージメモリ
２０７  モデム
【図１】
0003638383.tif 000002
【図２】
0003638383.tif 000003
【図３】
0003638383.tif 000004
【図４】
0003638383.tif 000005